(57)【特許請求の範囲】
【請求項１】
フィチン酸、またはフィチン酸塩を含有する平版印刷インキ用顔料の洗浄剤。
【請求項２】
前記のフィチン酸塩として、アルカリ金属塩、アルカリ土類金属塩、アンモニウム塩、またはアミン塩を用いるものである請求項１に記載の平版印刷インキ用顔料の洗浄剤。
【発明の詳細な説明】
【０００１】
【発明の属する技術分野】
本発明は、平版印刷インキ用顔料の洗浄剤に関するものであり、更に詳しくは印刷版面の非画線部の汚れの発生が起こりにくく、しかも印刷機上でのインキのローラーストリッピングを防止することができる平版印刷インキ用顔料の洗浄剤に関するものである。
【０００２】
【従来の技術】
オフセット平版印刷は、通常使用される版の表面が水に湿潤され易い非画線部（親水性部）と油に湿潤され易い画線部（親油性部）とから構成される。即ちオフセット平版印刷は水を使用することを最大の特徴としており、これは湿し水と呼ばれ、非画線部を湿潤することにより画線部、非画線部との間の界面化学的性質の差を拡大し、非画線部のインキの反発性、及び画線部のインキの受理性を増大させる作用を有している。
【０００３】
近年、オフセット平版印刷は、印刷版としての感光性平版印刷版（ＰＳ版）の普及、更にその非画線部の不感脂化処理技術の進歩により、平版印刷の欠点でもあった汚れに関係した印刷上のトラブルは大幅に改善された。
【０００４】
しかしながら印刷の高速化と印刷部数の増大化にともない、版の摩耗等により版の活性金属面が露出し、これに印刷インキ中の遊離脂肪酸等の親油性物質が吸着され、その結果版の非画線部に疎水性部分が形成され、更に印刷インキが付着し、いわゆる汚れ現象の発生をともなうことがある。これの対応として、これまで湿し水の側からエッチ液と呼ばれるアラビアゴム、リン酸等を含むＰＨ４〜６の水溶液が湿し水として使用されてきた。
【０００５】
一方印刷インキ中にポリサッカライド酸、リン酸、或いはメタリン酸等版面を清浄化する、いわゆる不感脂化する物質が添加され印刷に供されることもあった。しかしこれらの技術は、汚れを完全に防止するには至らず、また印刷中にローラーストリッピングと称する印刷機上のインキロールにインキの転移が著しく疎外される現象をともなう場合があった。
【０００６】
【発明が解決しようとする課題】
本発明は、前述のオフセット平版印刷の際に発生する印刷上のトラブル、即ち版面の非画線部の汚れの発生と、印刷機ローラー上のインキのローラーストリッピング現象等の防止を印刷インキの製造面、より詳しくはインキ用の顔料の製造面から検討し、その問題解決を図ることを目的としている。
【０００７】
【課題を解決するための手段】
本発明者らは、上記の課題、即ち汚れ、及びローラーストリッピング現象を解決すべく鋭意研究を重ねた結果、本発明を完成するに到った。即ち本発明は、１分子中に２個以上のリン酸基を有する化合物を含有せしめてなる平版印刷インキ用顔料の洗浄剤に関するものである。
【０００８】
本発明に使用される１分子中に２個以上のリン酸基を有する化合物としては、−ＰＯ（ＯＨ）2 で示される１価のリン酸基を２個以上有する化合物、−｛ＰＯ（ＯＨ）Ｏ｝n −ＰＯ（ＯＨ）2 で示される１価のポリリン酸基を２個以上有する化合物および前記１価のリン酸基を２個以上側鎖に有する高分子化合物から選ばれる少なくとも１種が用いられる。具体的には、フィチン酸、フィチン酸塩が用いられ、フィチン酸塩として、アルカリ金属塩、アルカリ土類金属塩、アンモニウム塩、またはアミン塩等が挙げられる。
【０００９】
【発明の実施の形態】
本発明は、１分子中に２個以上のリン酸基を有する化合物を含有せしめてなる平版印刷インキ用顔料の洗浄剤に関するものである。
【００１０】
本発明に使用される１分子中に２個以上のリン酸基を有する化合物としては、−ＰＯ（ＯＨ）2 で示される１価のリン酸基を２個以上有する化合物、−｛ＰＯ（ＯＨ）Ｏ｝n −ＰＯ（ＯＨ）2 で示される１価のポリリン酸基を２個以上有する化合物および前記１価のリン酸基を２個以上側鎖に有する高分子化合物から選ばれる少なくとも１種が用いられる。
【００１１】
本発明に使用される１分子中に２個以上のリン酸基を有する化合物として、具体的には、フィチン酸、１，３（２，３）−ジホスホグリセリン酸、アデノシン−５’−四リン酸、ポリビニルリン酸、及びその誘導体が挙げられる。また前記化合物の塩としては、１価、または２価の金属の水溶性塩、例えば、ナトリウム塩、カリウム塩、及びカルシウム塩等から選ぶことができる。
【００１２】
本発明による化合物を含有する洗浄剤による顔料の処理方法は、直接所定量顔料スラリー中に添加し攪拌してもよいし、あるいは本発明による化合物を水等に溶解し、これを所定量顔料スラリー中に混合攪拌する方法を用いてもよい。攪拌後、スラリーから水を濾過分離したウェットケーキをニーダーでワニスと練肉しさらに余分な水をデカンテーションによって除去するフッラッシング法や、スラリーにワニスを加えて攪拌し顔料を水相から油相に転相した後濾過によって水を除去するタンクフラッシング法等があるが、いずれの方法においても本発明による化合物を含有する洗浄剤は水と共に系外に除去される。
【００１３】
本発明による化合物の使用量は、顔料総重量に対して０．０２重量％以上であり、特に好ましくは０．２〜２重量％である。
【００１４】
本発明による化合物を含有する洗浄剤は、印刷インキ用顔料のうちその製造工程で金属イオンを不純物として生成する印刷インキ用顔料に対して適用できる。例えば、Ｃa2+ を不純物として生成するブリリアントカーミン６Ｂ、Ｃｕ2+を不純物として生成するフタロシアニンブルー、Ｂａ2+を不純物として生成するレーキレッドＣ等が包含される。
【００１５】
本発明による化合物を含有する洗浄剤により洗浄された顔料は、樹脂、乾性油、石油溶剤等から構成されるインキ用ワニス、その他添加剤等と練肉され平版印刷インキとされる。
【００１６】
【作用】
本発明者らは、オフセット平版印刷のこれ迄の長年の懸案事項であった版面上の非画線部の汚れと、印刷機上でのインキのローラーストリップ現象等の防止のために鋭意検討を重ねた結果、以下の作用を見い出し本発明を完成した。
【００１７】
まず第一に、非画線部の汚れと、印刷機上でのインキのローラーストリップ現象等は、インキ中にフリーの電解質が存在すると発現されることを見いだした。即ちこれらフリーの無機電解質が、印刷中に湿し水の中に徐々に溶出し、これが湿し水中の不感脂化成分である例えばリン酸成分等と反応し、その不感脂化能力を維持すべき濃度を低下せしめ、その結果、本来具備している汚れ防止効果を著しく損なわしめ、汚れ発生の原因につながることを見いだした。
【００１８】
第二に、リン酸成分など不感脂化成分と反応したカルシウム等無機電解質はインキロール上に付着し、これがある一定量以上堆積するとローラーストリッピングが発生することを確認した。
【００１９】
第三に、これらの現象に共通している原因がインキの顔料中に存在するフリーの無機電解質であることに着目し、これを除去する手段をつきとめた。即ち、印刷インキ用顔料の製造途中、本発明の顔料用洗浄剤を添加する。本発明の請求項に記載の化合物は金属イオンと反応してキレート化合物をつくる性質を有しているため、顔料製造過程で、特に顔料スラリー中に添加された場合顔料中に存在するフリーの無機電解質をキレート化合物の形で捕捉する。その結果、この顔料を使用して作製したインキ中のフリーの無機電解質の残存量は大幅に低下し、印刷中インキより無機電解質の溶出は抑えられる。
【００２０】
従って、本発明による化合物を含有する洗浄剤は、顔料中のフリーの無機電解質に起因する印刷上のトラブル、即ち版面の非画線部の汚れ発生と印刷機ローラー上のインキのローラーストリッピング現象に対し、その防止効果を示す。
【００２１】
【実施例】
以下本発明を実施例により更に具体的に説明するが、本発明の範囲はこれらの実施例により限定されるものではない。
【００２２】
（実施例１）
フィチン酸の５０重量％水溶液をブリリアントカーミン６Ｂスラリー中に、フィチン酸濃度がブリリアントカーミン６Ｂに対し０．２重量％になるまで加え攪拌した。このスラリーに重量で顔料の１．５倍のワニスを加え８０℃でタンクフラッシングを行った後、水を濾過によって除去した。この顔料を使って平版印刷用インキを作製した。
【００２３】
（実施例２）
フィチン酸の５０重量％水溶液をブリリアントカーミン６Ｂスラリー中に、フィチン酸濃度がブリリアントカーミン６Ｂに対し２重量％になるまで加え攪拌した。このスラリーに重量で顔料の１．５倍のワニスを加え８０℃でタンクフラッシングを行った後、水を濾過によって除去した。この顔料を使って平版印刷用インキを作製した。
【００２４】
（実施例３）
フィチン酸ナトリウムの５０重量％水溶液をブリリアントカーミン６Ｂスラリー中に、フィチン酸ナトリウム濃度がブリリアントカーミン６Ｂに対し０．２重量％になるまで加え攪拌した。このスラリーに重量で顔料の１．５倍のワニスを加え８０℃でタンクフラッシングを行った後、水を濾過によって除去した。この顔料を使って平版印刷用インキを作製した。
【００２５】
（実施例４）
フィチン酸の５０重量％水溶液をブリリアントカーミン６Ｂスラリー中に、フィチン酸濃度がブリリアントカーミン６Ｂに対し０．２重量％になるまで加え攪拌した。このスラリーから水を濾過分離したウェットケーキを使ってニーダーでフラッシングを行った。この顔料を使って平版印刷用インキを作製した。
【００２６】
（比較例１）
フィチン酸未添加のブリリアントカーミン６Ｂスラリーに重量で顔料の１．５倍のワニスを加え８０℃でプレフラッシングを行った後、水を濾過によって除去した。この顔料を使ってインキを作製し、比較試験のための紅インキとする。
【００２７】
（印刷試験）
実施例１〜４及び比較例１で得られた平版印刷用インキを用いて、湿し水として、水道水、及び水道水に０．１重量％のリン酸を加えた２種類の湿し水を使用して、８，０００枚／時の印刷速度にて印刷を行った。結果は、表１に示されている通りであった。
【００２８】
【表１】
0003879130.tif 000002
【００２９】
表１に示したように、実施例１〜４のインキを使用した場合には、湿し水として水道水を使用した時、１０，０００枚の印刷で汚れ及びローラーストリッピングの発生はなく、良好な印刷が行うことができた。また湿し水として水道水にリン酸の０．１重量％加えた場合には、２０，０００枚の印刷で、汚れ及びローラーストリッピングの発生はなく、良好な印刷を行うことができた。
【００３０】
一方比較例１のインキを使用した場合には、湿し水として水道水を使用した時、５，０００枚の印刷で汚れが発生した。また湿し水として水道水にリン酸を０．１重量％添加した場合、１０，０００枚の印刷でローラーストリッピングが発生した。
【００３１】
以上、実施例１〜４のフィチン酸、又はフィチン酸塩で洗浄した顔料を使用したインキは、比較例１で示された未処理の顔料を使用したインキと比較し、汚れ及びローラーストリッピングの発生がなく、良好な印刷適性を示すことは明らかである。
【００３２】
【発明の効果】
これまでオフセット平版印刷が抱えていた問題点、即ち非画線部の汚れと印刷機のローラー上のインキのローラーストリッピングの現象を、本発明により得られた顔料の洗浄剤を用いることにより、ことごとく解決することができ、印刷品質の向上と作業効率の改善に寄与することができた。